(57)【要約】【課題】第１範囲を第１解像度で表す第１再生画像と、第１範囲より狭い第２範囲を精細な第２解像度で表す第２再生画像とを適切に表示する電子カメラを提供すること。【解決手段】電子カメラ１は、被写体像の撮像を繰り返して画像データを逐次出力する撮像素子１２と、画像を表示する表示手段１７と、画像データに基づく再生画像であって、被写体像の第１範囲を第１解像度で表す第１再生画像と、第１範囲に含まれ該第１範囲より狭い第２範囲を第１解像度より精細な第２解像度で表す第２再生画像とを表示手段１７にともに表示させる表示制御手段２０と、第１再生画像の更新表示間隔と第２再生画像の更新表示間隔とを撮影状態に応じて異ならせるように撮像素子１２および表示制御手段２０をそれぞれ制御する更新間隔制御手段２０とを備える。【選択図】図１
2010136190.tif 000002
【特許請求の範囲】
【請求項１】
被写体像の撮像を繰り返して画像データを逐次出力する撮像素子と、
画像を表示する表示手段と、
前記画像データに基づく再生画像であって、前記被写体像の第１範囲を第１解像度で表す第１再生画像と、前記第１範囲に含まれ該第１範囲より狭い第２範囲を前記第１解像度より精細な第２解像度で表す第２再生画像とを前記表示手段にともに表示させる表示制御手段と、
前記第１再生画像の更新表示間隔と前記第２再生画像の更新表示間隔との相対的な比率を、撮影状態に応じて異ならせるように前記撮像素子および前記表示制御手段をそれぞれ制御する更新間隔制御手段とを備えることを特徴とする電子カメラ。
【請求項２】
請求項１に記載の電子カメラにおいて、
前記更新間隔制御手段は、前記第１再生画像の前後するフレーム間で共通する被写体に対応する画像データに基づいて得られる被写体の動き情報に応じて前記更新表示間隔を異ならせることを特徴とする電子カメラ。
【請求項３】
請求項２に記載の電子カメラにおいて、
前記更新間隔制御手段は、前記被写体の動きが所定値より大きいと判定した場合に前記第１再生画像の更新表示間隔を前記第２再生画像の更新表示間隔より相対的に狭く制御することを特徴とする電子カメラ。
【請求項４】
請求項３に記載の電子カメラにおいて、
前記更新間隔制御手段は、前記被写体の動きが所定値以下と判定した場合には、前記第１再生画像の更新表示間隔と前記第２再生画像の更新表示間隔との比率を、前記所定値より大きいと判定した場合に制御される比率とは異なる比率に制御することを特徴とする電子カメラ。
【請求項５】
請求項１に記載の電子カメラにおいて、
前記更新間隔制御手段は、設定されている撮影モードに応じて前記更新表示間隔を異ならせることを特徴とする電子カメラ。
【請求項６】
請求項５に記載の電子カメラにおいて、
前記更新間隔制御手段は、前記撮影モードがスポーツシーンを撮影するモードの場合に、前記第１再生画像の更新表示間隔を前記第２再生画像の更新表示間隔より相対的に狭く制御することを特徴とする電子カメラ。
【請求項７】
請求項６に記載の電子カメラにおいて、
前記更新間隔制御手段は、前記撮影モードがポートレート撮影、風景撮影およびマクロ撮影するモードの場合には、前記第１再生画像の更新表示間隔と前記第２再生画像の更新表示間隔との比率を、前記スポーツシーン撮影モードのときに制御された比率とは異なる比率に制御することを特徴とする電子カメラ。
【請求項８】
請求項１〜７のいずれか一項に記載の電子カメラにおいて、
拡大表示の開始または終了を指示するための操作部材をさらに備え、
前記操作部材から前記拡大表示の開始を指示する信号が送出された場合、前記表示制御手段が前記第１再生画像と前記第２再生画像とを前記表示手段にともに表示させることを特徴とする電子カメラ。
【請求項９】
請求項８に記載の電子カメラにおいて、
前記操作部材から前記拡大表示の終了を指示する信号が送出された場合、前記表示制御手段が前記第１再生画像のみを前記表示手段に表示させることを特徴とする電子カメラ。
【請求項１０】
請求項３に記載の電子カメラにおいて、
前記表示手段は、第１モニター部と、該第１モニター部よりも表示面積の小さい第２モニター部とを含み、
前記表示制御手段は、前記被写体の動きが前記所定値より大きいと判定した場合には、前記第１再生画像を前記第１モニター部へ表示し、且つ前記第２再生画像を前記第２モニター部へ表示することを特徴とする電子カメラ。
【請求項１１】
請求項４に記載の電子カメラにおいて、
前記表示手段は、第１モニター部と、該第１モニター部よりも表示面積の小さい第２モニター部とを含み、
前記表示制御手段は、前記被写体の動きが前記所定値以下と判定した場合には、前記第１再生画像を前記第２モニター部へ表示し、且つ前記第２再生画像を前記第１モニター部へ表示することを特徴とする電子カメラ。
【請求項１２】
請求項６に記載の電子カメラにおいて、
前記表示手段は、第１モニター部と、該第１モニター部よりも表示面積の小さい第２モニター部とを含み、
前記表示制御手段は、前記撮影モードが前記スポーツシーンを撮影するモードの場合には、前記第１再生画像を前記第１モニター部へ表示し、且つ前記第２再生画像を前記第２モニター部へ表示することを特徴とする電子カメラ。
【請求項１３】
請求項７に記載の電子カメラにおいて、
前記表示手段は、第１モニター部と、該第１モニター部よりも表示面積の小さい第２モニター部とを含み、
前記表示制御手段は、前記撮影モードが前記ポートレート撮影、前記風景撮影および前記マクロ撮影するモードの場合には、前記第１再生画像を前記第２モニター部へ表示し、且つ前記第２再生画像を前記第１モニター部へ表示することを特徴とする電子カメラ。
【発明の詳細な説明】
【技術分野】
【０００１】
本発明は、電子カメラに関する。
【背景技術】
【０００２】
撮像素子で撮像されている画像をスルー画像として表示パネルに表示するとともに、該スルー画像の一部を拡大した副画像を表示中の画像に重ねて表示する技術が知られている（特許文献１参照）。
【０００３】
【特許文献１】特開２００７−１２４５２１号公報
【発明の開示】
【発明が解決しようとする課題】
【０００４】
しかしながら、上記従来技術には、拡大前の画像と拡大画像とを、どのような解像度で表すのかという点について言及されていない。一般に、撮像素子からのスルー画像表示のためのデータ読み出しは、表示パネルの表示画素数に応じた画素密度で読み出される。したがって、撮像素子が有する画素数より表示パネルの表示画素数が少ない場合には、表示パネルに表示される画像の解像度は撮像素子の画素密度より低いものとなる。この場合、スルー画像の一部を電子的に拡大しても、副画像の解像度は撮像素子の画素密度より低いままである。
【課題を解決するための手段】
【０００５】
本発明による電子カメラは、被写体像の撮像を繰り返して画像データを逐次出力する撮像素子と、画像を表示する表示手段と、画像データに基づく再生画像であって、被写体像の第１範囲を第１解像度で表す第１再生画像と、第１範囲に含まれ該第１範囲より狭い第２範囲を第１解像度より精細な第２解像度で表す第２再生画像とを表示手段にともに表示させる表示制御手段と、第１再生画像の更新表示間隔と第２再生画像の更新表示間隔とを撮影状態に応じて異ならせるように撮像素子および表示制御手段をそれぞれ制御する更新間隔制御手段とを備えることを特徴とする。
【発明の効果】
【０００６】
本発明によれば、第１範囲を第１解像度で表す第１再生画像と、第１範囲より狭い第２範囲を精細な第２解像度で表す第２再生画像とを適切に表示できる。
【発明を実施するための最良の形態】
【０００７】
以下、図面を参照して本発明を実施するための最良の形態について説明する。図１は、本発明の一実施の形態による電子カメラ１の構成例を説明するブロック図である。図１において、電子カメラ１は、撮影光学系１１と、撮像素子１２と、ＡＦＥ(Analog front end)回路１３と、画像処理回路１４と、スピーカ駆動回路１５と、スピーカ１６と、ＬＣＤモニタ１７と、ＲＡＭ１８と、フラッシュメモリ１９と、ＣＰＵ２０と、メモリカードインターフェース(I/F)２１と、操作部材２２と、タイミングジェネレータ(TG)２３とを備える。
【０００８】
ＣＰＵ２０、ＲＡＭ１８、フラッシュメモリ１９、メモリカードインターフェース２１、画像処理回路１４、スピーカ駆動回路１５およびＬＣＤモニタ１７は、それぞれがバス２４を介して接続されている。
【０００９】
撮影光学系１１は、ズームレンズやフォーカシングレンズを含む複数のレンズ群で構成され、被写体像を撮像素子１２の受光面に結像させる。なお、図１を簡単にするため、撮影光学系１１を単レンズとして図示している。
【００１０】
ＴＧ２３は、ＣＰＵ２０から送出される指示に応じて所定のタイミング信号を発生し、撮像素子１２、ＡＦＥ回路１３、画像処理回路１４へそれぞれのタイミング信号を供給する。タイミング信号によって撮像素子１２等が駆動制御されることにより、撮像素子１２による撮像タイミングや撮像素子１２からのアナログ画像信号の読み出しタイミングが制御される。
【００１１】
撮像素子１２は、受光素子が受光面に二次元配列されたＣＣＤイメージセンサ、またはＣＭＯＳイメージセンサなどによって構成される。撮像素子１２は、撮影光学系１１を通過した光束による被写体像を光電変換してアナログ画像信号を生成する。アナログ画像信号は、ＡＦＥ回路１３に入力される。
【００１２】
ＡＦＥ回路１３は、アナログ画像信号に対して相関二重サンプリングやゲイン調整などのアナログ処理を行うとともに、アナログ処理後の画像信号をデジタル画像データに変換する。デジタル画像データは画像処理回路１４に入力される。画像処理回路１４は、デジタル画像データに対して各種の画像処理（色補間処理、階調変換処理、輪郭強調処理、ホワイトバランス調整処理、画像圧縮処理、画像伸張処理など）を施す。
【００１３】
スピーカ駆動回路１５は、ＣＰＵ２０から送出された音声データに基づいて、たとえば操作音、注意音、音声メッセージなどの音声再生信号を生成する。スピーカ１６は、音声再生信号に基づいて音声再生を行う。
【００１４】
ＬＣＤモニタ１７は液晶パネルによって構成され、ＣＰＵ２０からの指示に応じて画像や操作メニュー画面などを表示する。ＲＡＭ１８はＣＰＵ２０のワークメモリとして使用される。また、ＲＡＭ１８は、後述する静止画像データや画像処理回路１４による画像処理の前工程や後工程でのデジタル画像データを一時的に記憶する。フラッシュメモリ１９は、ＣＰＵ２０に実行させるプログラムを記憶する。
【００１５】
ＣＰＵ２０は、フラッシュメモリ１９が記憶するプログラムを実行することによって電子カメラ１が行う動作を統括的に制御する。ＣＰＵ２０は、ＡＦ（オートフォーカス）動作制御や、自動露出（ＡＥ）演算も行う。ＡＦ動作は、たとえば、スルー画像のコントラスト情報に基づいてフォーカシングレンズ（不図示）の合焦位置を求めるコントラスト検出方式を用いる。スルー画像は、撮影指示前に撮像素子１２によって所定の時間間隔（フレームレート）（たとえば１０コマ／毎秒〜３０コマ／毎秒）で繰り返し取得されるモニタ用画像のことをいう。ライブビュー画像とも呼ばれる。「コマ／毎秒」は「fps(フレーム/sec)」と記載してもよい。
【００１６】
メモリカードインターフェース２１はコネクタ（不図示）を有し、該コネクタにメモリカードなどの記憶媒体５１が接続される。メモリカードインターフェース２１は、接続された記憶媒体５１に対するデータの書き込みや、記憶媒体５１からのデータの読み込みを行う。記憶媒体５１は、半導体メモリを内蔵したメモリカード、またはハードディスクドライブなどで構成される。
【００１７】
操作部材２２は、後述するレリーズボタン２２ａ、ズームスイッチ２２ｂ  ２２ｃ、十字スイッチ２２ｇ、メニュースイッチ２２ｅなどを含む。操作部材２２は、ファンクション操作やメニュー選択操作など、各操作に応じた操作信号をＣＰＵ２０へ送出する。
【００１８】
図２は、電子カメラ１の背面図である。電子カメラ１の背面には、ＬＣＤモニタ１７と、ズームスイッチ２２ｂ（Ｔ）と、ズームスイッチ２２ｃ（Ｗ）と、ファンクション（Ｆ）スイッチ２２ｄと、メニュースイッチ２２ｅと、削除スイッチ２２ｆと、十字スイッチ２２ｇと、ＯＫスイッチ２２ｈとが設けられている。
【００１９】
電子カメラ１のＣＰＵ２０は、撮影モード時に上述したスルー画像（ライブビュー画像）をＬＣＤモニタ１７に表示させる。図３は、スルー画像を表示するＬＣＤモニタ１７の表示画面を例示する図である。ＬＣＤモニタ１７は、メイン表示領域１７ａと、３つのサブ表示領域１７ｂ〜１７ｄとに画像を表示することが可能に表示制御される。３つのサブ表示領域は、上から第１サブ表示領域１７ｂ、第２サブ表示領域１７ｃ、および第３サブ表示領域１７ｄと呼ぶことにする。なお、表示画面の表示形態としては、メイン表示領域１７ａとサブ表示領域１７ｂ〜１７ｄを表示領域別に表示位置を分離して表示する図３の形態に限られるものではない。たとえば、サブ表示領域１７ｂ〜１７ｄを、メイン表示領域１７ａの上に重ねて表示（重畳表示）する形態であってもよい。
【００２０】
図３に例示するように、ＣＰＵ２０は通常、ＬＣＤモニタ１７のメイン表示領域１７ａにスルー画像３１（撮影画面全体のスルー画像である全体スルー画像）を表示させる。そして、スルー画像（全体スルー画像）の中の一部分を高精細に表示させるための拡大操作が行われた場合には、メイン表示領域１７ａに表示させていたスルー画像３１を縮小処理したスルー画像３１Ｂ（縮小された全体スルー画像）を第１サブ表示領域１７ｂに表示させるとともに、スルー画像３１のうちマーク３２を含む所定範囲について、解像度がスルー画像３１より高い高精細なスルー画像１３１Ｂ（部分的に拡大表示されたスルー画像である拡大スルー画像）を新たに取得してメイン表示領域１７ａに表示させる（図４、図５）。
なお本実施形態では、カメラのオートフォーカス機能が働いている場合において、マーク３２は、そのオートフォーカス機能によって合焦させるべき被写体を特定（指定）するためのＡＦエリアマークとしても機能するものである。更に本実施形態では、カメラは、このマーク３２によって特定（指定）されている被写体を主要被写体として認識するように構成されているものとする。
【００２１】
本実施形態の電子カメラ１は、このようなスルー画像表示のための制御に特徴を有するので、以降の説明は、スルー画像表示のためにＣＰＵ２０が行う処理を中心に説明する。電子カメラ１のＣＰＵ２０は、不図示のメインスイッチがオン操作されると、メイン処理を行うためのプログラムを起動する。図６は、メイン処理の流れを説明するフローチャートである。図６のステップＳ１０１において、ＣＰＵ２０は、撮像素子１２にスルー画像の撮像を開始させ、取得された画像データに基づくスルー画像をＬＣＤモニタ１７に表示させてステップＳ１０２へ進む（図３）。
【００２２】
図３に例示するスルー画像３１は、撮像素子１２から、後述する間引き読み出し方式によって読み出された画素のデータのうち、ＬＣＤモニタ１７のメイン表示領域１７ａにおける表示画素数に応じて画素密度変換（後述）されたデータに基づいて表示されたものである。したがって、撮像素子１２が有する画素数に比べてメイン表示領域１７ａにおける表示画素数が少ない場合には、スルー画像３１の解像度を低くするようにデータ読み出し時の間引き率が設定される。なお、撮像素子１２が３０コマ／毎秒（30fps）で撮像を繰り返す場合、スルー画像３１が３０コマ／毎秒(30fps)で表示される。
【００２３】
ここで、画素密度変換処理について述べる。ＬＣＤ１７の表示画面の走査形式に規定される画素数よりも、撮像素子１２の読み出し画素数が多い場合には、その走査形式の規定よりも高い画素密度で画像情報が生成されてしまう。そこで、この画素密度の高い画像情報を表示画面の走査形式に合わせた画素密度まで低減する処理のことを画素密度変換処理という。
【００２４】
ステップＳ１０２において、ＣＰＵ２０は、拡大表示領域の位置を設定する操作が行われたか否かを判定する。ＣＰＵ２０は、たとえば、ファンクションスイッチ２２ｄの押下操作を示す信号が操作部材２２から入力された場合、ステップＳ１０２を肯定判定してステップＳ１０３へ進む。ＣＰＵ２０は、ファンクションスイッチ２２ｄの押下操作を示す信号が入力されない場合には、ステップＳ１０２を否定判定してステップＳ１１０へ進む。
【００２５】
ステップＳ１０３において、ＣＰＵ２０は拡大表示領域の位置情報を受け付ける。具体的には、図３に例示するマーク３２をスルー画像３１に重ねて表示させた上で、十字スイッチ２２ｇからの操作信号を待つ。ＣＰＵ２０は、たとえば、十字スイッチ２２ｇの右方向操作を示す信号を操作部材２２から受けた場合、当該操作信号に応じてスルー画像３１に重ね表示しているマーク３２の位置を画面右の方向へ移動させる。同様に、十字スイッチ２２ｇの下方向操作を示す信号を操作部材２２から受けた場合、当該操作信号に応じてスルー画像３１に重ね表示しているマーク３２の位置を画面下の方向へ移動させる。マーク３２の中心は、拡大表示領域の中心位置に対応する。
【００２６】
ステップＳ１０４において、ＣＰＵ２０は、拡大操作が行われたか否かを判定する。ＣＰＵ２０は、ズームスイッチ（Ｔ）２２ｂの押下操作を示す信号が操作部材２２から入力された場合、ステップＳ１０４を肯定判定してステップＳ１０５へ進む。ＣＰＵ２０は、ズームスイッチ（Ｔ）２２ｂの押下操作を示す信号が入力されない場合には、ステップＳ１０４を否定判定してステップＳ１１０へ進む。
【００２７】
ステップＳ１０５において、ＣＰＵ２０は、撮影シーン内に存在する被写体（特にマーク３２で指定されている主要被写体）に動きがあるか否かを判定する。具体的には、スルー画像３１のうちマーク３２を含む所定範囲について、前フレームと当該フレームとの間の対応するデータからフレーム間で共通する被写体の動きベクトル（被写体の動きの速さや方向）を求め、該動きベクトルから被写体のずれ量を算出する。ＣＰＵ２０は、ずれ量が所定値より大きい場合にステップＳ１０５を肯定判定してステップＳ１０６へ進み、ずれ量が所定値以下の場合にはステップＳ１０５を否定判定してステップＳ１０７へ進む。なお、前フレームと当該フレームとの間でスルー画像３１の全範囲に対応するデータから、フレーム間で共通する被写体の動きベクトルを求めるようにしても構わない。
【００２８】
＜動きありを判定した場合＞
ステップＳ１０６において、ＣＰＵ２０はＴＧ２３へ指示を送り、拡大表示領域に対応する全画素読み出し方式（後述）の撮像レート（フレームレート）を１０コマ／毎秒（10fps）に設定するとともに、全画面領域に対応する間引き読み出し方式（後述）の撮像レート（フレームレート）を３０コマ／毎秒（30fps）に設定してステップＳ１０８へ進む。
【００２９】
＜動きなしを判定した場合＞
また、ＣＰＵ２０は、ステップＳ１０７においてＴＧ２３へ指示を送り、拡大表示領域に対応する全画素読み出し方式（後述）の撮像レート（フレームレート）を３０コマ／毎秒（30fps）に設定するとともに、全画面領域に対応する間引き読み出し方式（後述）の撮像レート（フレームレート）を１０コマ／毎秒（10fps）に設定してステップＳ１０８へ進む。
【００３０】
＜２画面表示＞  
ステップＳ１０８において、ＣＰＵ２０は図４、図５に例示したように、マーク１３２Ｂを含む所定範囲の高精細スルー画像１３１Ｂをメイン表示領域１７ａ（メイン画面）に表示させるとともに、縮小処理を施した縮小スルー画像３１Ｂを第１サブ表示領域１７ｂ（サブ画面）に表示させる。
【００３１】
高精細スルー画像１３１Ｂは、スルー画像３１（図３）のうちマーク３２を含む所定範囲について、解像度が高い高精細な画像データとして新しく取得したものである。つまり、マーク３２に対応する所定範囲の撮像素子１２の全画素からデータを読み出し（全画素読み出し方式）、そのデータをＬＣＤモニタ１７のメイン表示領域１７ａにおける表示画素数に応じて画素密度変換したデータとして表示されたものである。高精細スルー画像（拡大スルー画像）１３１Ｂの解像度は、間引きしない場合（全画素読み出しの場合）に一番高くなる。なお、変形例として、高精細スルー画像１３１Ｂ用のデータを読み出すには、全画素読み出し方式ではなく間引き読み出し方式としてもよいが、その場合の間引き率は、スルー画像（全体スルー画像）３１用の画像データを読み出す場合の間引き率より低いものにしておく。
【００３２】
また、マーク３２に対応する所定範囲に撮像素子１２が有する画素数と、メイン表示領域１７ａにおける表示画素数とが一致する場合には、データ読み出し時の画素密度変換処理は行わない。このようにして、マーク１３２Ｂを含む範囲がメイン表示領域１７ａに拡大表示される。高精細スルー画像１３１Ｂに重ねて表示するマーク１３２Ｂは、後述する縮小スルー画像３１Ｂに重ね表示しているマーク３２Ｂに対応する。
【００３３】
縮小スルー画像３１Ｂ（縮小された全体スルー画像）は、スルー画像３１（図３）（全体スルー画像）を構成するデータを間引くなどして縮小処理することにより、メイン表示領域１７ａにおける表示画素数から第１サブ表示領域１７ｂにおける表示画素数へデータ数を減じたものである。縮小スルー画像３１Ｂに重ね表示するマーク３２Ｂは、スルー画像３１に重ね表示していたマーク３２に対応する。
【００３４】
ここで、図７を用いて、縮小スルー画像３１Ｂと高精細スルー画像１３１Ｂとを読み出すときの撮像素子１２の読み出し方式について説明する。
図７(a)は、スルー画像３１Ｂ（全体スルー画像）を読み出す際に行われる、間引き読み出し方式の説明図である。撮像素子１２の読み出しラインのうち、たとえば１／３ずつ間引きながら読み出されている（図中、斜線部が読み出しライン）。
一方、高精細スルー画像１３１Ｂ（拡大スルー画像）を読み出す際には、図７（ｂ）に示すように、拡大エリア部分（マーク３２（図３）を含む周辺領域）の全画素が読み出される（図７(b)の斜線部が読み出しライン）。この図７（ｂ）の手法が、全画素読み出し方式である。
【００３５】
図６のステップＳ１０９において、ＣＰＵ２０は、拡大終了操作が行われたか否かを判定する。ＣＰＵ２０は、ズームスイッチ（Ｗ）２２ｃの押下操作を示す信号が操作部材２２から入力された場合、ステップＳ１０９を肯定判定してステップＳ１１０へ進む。ＣＰＵ２０は、ズームスイッチ（Ｗ）２２ｃの押下操作を示す信号が入力されない場合には、ステップＳ１０９を否定判定してステップＳ１０５へ戻る。ステップＳ１０５へ戻る場合は上述した処理を繰り返す。
【００３６】
ステップＳ１１０において、ＣＰＵ２０は拡大表示を終了し、図３の表示画面に戻してステップＳ１１１へ進む。
【００３７】
ステップＳ１１１において、ＣＰＵ２０は、レリーズ操作が行われたか否かを判定する。ＣＰＵ２０は、レリーズボタン２２ａの全押し操作を示す信号が入力された場合、ステップＳ１１０を１定判定してステップＳ１１２へ進む。ＣＰＵ２０は、レリーズボタン２２ａの全押し操作を示す信号が入力されない場合、ステップＳ１１１を否定判定してステップＳ１０１へ戻る。
【００３８】
ステップＳ１１２において、ＣＰＵ２０は、撮像素子１２に撮影用の撮像処理を行わせてステップＳ１１３へ進む。スルー画像の場合と異なり、撮像素子１２が有する全画素のデータを読み出す。ＣＰＵ２０は、撮像処理で取得した画像データに基づいて、たとえば、画像データおよび撮影情報を含むＥｘｉｆ形式の画像ファイルを生成する。Ｅｘｉｆ形式の画像ファイルは、JPEG画像フォーマットの画像データ内にサムネイル画像や撮影情報などのデータを埋め込むようにしたものである。
【００３９】
ステップＳ１１３において、ＣＰＵ２０は、画像ファイルを記憶媒体５１へ記録して図６による処理を終了する。
【００４０】
電子カメラ１が行う撮像および表示のタイミング例を以下に説明する。
＜拡大表示しない場合＞
図３に例示した画像をＬＣＤモニタ１７に表示する場合、ＣＰＵ２０は撮像素子１２にスルー画像３１（全体スルー画像）のみを撮像させる。この場合の電子カメラ１は、３０コマ／毎秒でスルー画像表示を更新するように、全画面領域に対応する間引き読み出し方式の読み出しレートが30fpsに設定される。つまり、１／３０秒の間に撮像素子１２に対するデータ読み出し領域をセットし、撮像素子１２にスルー画像３１用の撮像を行わせ、読み出した画像データに基づくスルー画像３１をＬＣＤモニタ１７のメイン表示領域１７ａに表示させる。
【００４１】
＜被写体の動きなしと判定した場合の拡大表示＞
図４は、主要被写体としての「鳥（このときは木に止まっている）」を含む撮影シーンであって、縮小された全体スルー画３１Ｂをサブ表示領域１７ｂに表示し、全体スルー画３１Ｂの中の一部（鳥が写っている領域）３２Ｂをメイン表示領域１７ａを使って拡大表示している状態である。この図４に例示した画面、即ち撮影シーン内の被写体（主要被写体の鳥）の動きが小さい状態の撮影シーンをＬＣＤモニタ１７に表示する場合、ＣＰＵ２０は撮像素子１２によって縮小スルー画像３１Ｂ（縮小された全体スルー画像）、および高精細スルー画像１３１Ｂ（拡大スルー画像）を以下のタイミングで撮像させる（図８）。
本実施形態では、異なる２つの動作タイミング（制御方法）について、それぞれ図８（ａ）、（ｂ）として記載する。
【００４２】
図８（ａ）に記載の制御方法によれば、縮小スルー画像３１Ｂの撮像および表示を１／１０秒の間に１回行い(10fps)、縮小スルー画像３１ＢをＬＣＤモニタ１７の第１サブ表示領域１７ｂに表示させたまま、高精細スルー画像１３１Ｂの撮像および表示を次の１／１０秒の間に３回行う(30fps)。つまり、図８（ａ）において前半の１／１０秒の間に、撮像素子１２に対するデータ読み出し領域のセット、撮像素子１２による縮小スルー画像３１Ｂ用の撮像、および読み出した画像データに基づく縮小スルー画像３１ＢをＬＣＤモニタ１７のサブ表示領域１７ｂへ表示する一連の動作を行う。
【００４３】
そして、図８（ａ）の後半の１／１０秒の間に、撮像素子１２に対するデータ読み出し領域のセット、撮像素子１２による高精細スルー画像１３１Ｂ用の撮像、および読み出した画像データに基づく高精細スルー画像１３１ＢをＬＣＤモニタ１７のメイン表示領域１７ａへ表示する一連の動作を、１／３０秒単位で３回繰り返す。
つまり図８（ａ）に示した制御の場合には、全体スルー画像３１Ｂと拡大スルー画像１３１Ｂとのフレームレート（１０fps：３０fps）の比率は、１：３となる。
一方、図８（ｂ）に記載の制御方法によれば、縮小スルー画像３１Ｂの撮像および表示を１／１０秒の間に１回行い(10fps)、縮小スルー画像３１ＢをＬＣＤモニタ１７の第１サブ表示領域１７ｂに表示させたまま、高精細スルー画像１３１Ｂの撮像および表示を次の１／１０秒の間に１回行う(10fps)。つまり、図８（ｂ）において前半の１／１０秒の間に、撮像素子１２に対するデータ読み出し領域のセット、撮像素子１２による縮小スルー画像３１Ｂ用の撮像、および読み出した画像データに基づく縮小スルー画像３１ＢをＬＣＤモニタ１７のサブ表示領域１７ｂへ表示する一連の動作を行う。
そして、図８（ｂ）の後半の１／１０秒の間に、撮像素子１２に対するデータ読み出し領域のセット、撮像素子１２による高精細スルー画像１３１Ｂ用の撮像、および読み出した画像データに基づく高精細スルー画像１３１ＢをＬＣＤモニタ１７のメイン表示領域１７ａへ表示する一連の動作を１回行う。
つまり図８（ｂ）に示した制御の場合には、全体スルー画像３１Ｂと拡大スルー画像１３１Ｂとのフレームレート（１０fps：１０fps）の比率は、１：１となる。
被写体の動きがない場合には、何れのスルー画像３１Ｂ，１３１Ｂも、フレームレートを上げずとも、被写体をフレームから見失う虞がないので、図８（ｂ）のような制御を許容しうる。
なお、被写体の動きがないときには、全体的にフレームレートを下げるようにしても良い。例えば図８（ａ），（ｂ）において１０ｆｐｓで制御している部分を、それよりも遅いフレームレート（例えば８ｆｐｓや６ｆｐｓなど）で動作せしめるように構成しても良い。更には被写体の動きの無い時間の継続時間に応じて（動きなしの継続時間が長くなればなるほど）、全体的にフレームレートを徐々に下げていくように制御するようにしても良い。
【００４４】
＜被写体の動きありと判定した場合の拡大表示＞
図５は、図４では木に止まっていた主要被写体としての「鳥」が飛び立った直後の撮影シーンであって、縮小された全体スルー画３１Ｂをサブ表示領域１７ｂに表示し、全体スルー画３１Ｂの中の一部（今まで鳥が写っていた領域）３２Ｂをメイン表示領域１７ａを使って拡大表示している状態である。この図５に例示した画面、即ち撮影シーン内の被写体（主要被写体の鳥）の動きが所定の大きさよりも大きい状態の撮影シーンをＬＣＤモニタ１７に表示する場合、ＣＰＵ２０は撮像素子１２によって縮小スルー画像（全体スルー画像）３１Ｂ、および高精細スルー画像（拡大スルー画像）１３１Ｂを以下のタイミングで撮像させる（図９）。
【００４５】
図９によれば、縮小スルー画像３１Ｂの撮像および表示を１／１０秒の間に３回行い(30fps)、縮小スルー画像３１ＢをＬＣＤモニタ１７の第１サブ表示領域１７ｂに表示させたまま、高精細スルー画像１３１Ｂの撮像および表示を次の１／１０秒の間に１回行う(10fps)。つまり、図９において前半の１／１０秒の間に、撮像素子１２に対するデータ読み出し領域のセット、撮像素子１２による縮小スルー画像３１Ｂ用の撮像、および読み出した画像データに基づく縮小スルー画像３１ＢをＬＣＤモニタ１７のサブ表示領域１７ｂへ表示する一連の動作を、１／３０秒単位で３回繰り返す。
【００４６】
そして、図９の後半の１／１０秒の間に、撮像素子１２に対するデータ読み出し領域のセット、撮像素子１２による高精細スルー画像１３１Ｂ用の撮像、および読み出した画像データに基づく高精細スルー画像１３１ＢをＬＣＤモニタ１７のメイン表示領域１７ａへ表示する一連の動作を行う。
つまり図９に示した制御の場合には、全体スルー画像３１Ｂと拡大スルー画像１３１Ｂとのフレームレート（３０fps：１０fps）の比率は、３：１となる。
【００４７】
以上説明した実施形態によれば、次の作用効果が得られる。
（１）電子カメラ１は、被写体像の撮像を繰り返して画像データを逐次出力する撮像素子１２と、画像を表示するＬＣＤモニタ１７と、画像データに基づく再生画像であって、被写体像の第１範囲を第１解像度で表す縮小スルー画像３１Ｂと、第１範囲に含まれ該第１範囲より狭い第２範囲を第１解像度より精細な第２解像度で表す高精細スルー画像１３１ＢとをともにＬＣＤモニタ１７で表示させ、縮小スルー画像３１Ｂの更新表示間隔と高精細スルー画像１３１Ｂの更新表示間隔とを撮影状態に応じて異ならせるように撮像素子１２およびＣＰＵ２０をそれぞれ制御する。これにより、画像を異なる解像度でリアルタイムに確認できる上に、一方の更新表示間隔を他方より遅くすることで、双方を同じ更新表示間隔に制御する場合と比べて、消費電力や処理の負担を低減できる。
【００４８】
（２）ＣＰＵ２０は、縮小スルー画像３１Ｂの前後するフレーム間で共通する被写体に対応する画像データに基づいて得られる被写体の動き情報に応じて更新表示間隔を異ならせるようにしたので、動く被写体が表示範囲から外れないように更新表示間隔を制御することも可能になる。
【００４９】
（３）ＣＰＵ２０は、被写体の動きが所定値より大きいと判定した場合に縮小スルー画像３１Ｂの更新表示間隔を高精細スルー画像１３１Ｂの更新表示間隔より相対的に狭く（相対的にフレームレートを上げる）制御することによって、表示範囲（視野）が広い縮小スルー画像３１Ｂのフレームレートを相対的に高められるので、動いてる被写体がフレーム（視野）内のどこに存在するかを、遅滞無く（リアルタイムで）捉えて表示することができる。
【００５０】
（４）ＣＰＵ２０は、被写体の動きが所定値以下と判定した場合に縮小スルー画像３１Ｂの更新表示間隔と高精細スルー画像１３１Ｂの更新表示間隔との比率を、動きありの場合の比率とは異なる比率にした。例えば、表示範囲が狭い高精細スルー画像１３１Ｂのフレームレートを相対的に上げる（速くする）よう制御すれば、動きが少ない被写体の微妙な変化をリアルタイムに捉えて表示することができる。また縮小スルー画像３１Ｂ、高精細スルー画像１３１Ｂともに、同様な遅いフレームレートで表示せしめる制御をすれば、消費電力を低減を行うことができる。
【００５１】
（５）拡大表示が指示された場合に上記（１）を行うので、拡大表示が指示される前から複数の解像度の再生画像を表示させる場合に比べて、消費電力や処理の負担を低減できる。
【００５２】
（６）拡大表示中に拡大処理の終了が指示された場合には、スルー画像３１のみを更新表示するようにしたので、拡大表示の終了が指示された後も複数の解像度の再生画像をともに表示させる場合に比べて、消費電力や処理の負担を低減できる。
【００５３】
（７）縮小スルー画像３１Ｂに重ねて高精細スルー画像１３１Ｂの位置を示すマーク３２Ｂを表示させるようにしたので、どの領域を高精細に表示しているかをわかりやすく示せる。
【００５４】
（８）高精細スルー画像１３１Ｂに重ねてマーク１３２Ｂを表示させるようにしたので、縮小スルー画像３１Ｂにおけるマーク３２Ｂとの間で対比しやすくなる。
【００５５】
（変形例１）
以上の説明では、ユーザーによる十字スイッチ２２ｇの操作に基づいてマーク３２（図３）の表示位置を移動させ、マーク３２の位置に基づいて拡大表示時（図４、図５）の高精細スルー画像１３１Ｂの中心位置（すなわち拡大領域）を決定するようにした。図４（または図５）に例示した拡大表示中は、ユーザーが十字スイッチ２２ｇを操作することにより、拡大領域をさらに移動させる（すなわち、高精細スルー画像１３１Ｂをスクロールする）。この代わりに、図４（または図５）に例示した拡大表示中に、ステップＳ１０５で算出された動きベクトルに基づいて、移動した被写体を含むように拡大領域を自動的に移動させる構成にしてもよい。このように被写体を追尾して高精細スルー画像１３１Ｂをスクロールさせることで、動く被写体を拡大範囲に自動的に含めることができる。
【００５６】
（変形例２）
動きなしを判定した場合の拡大表示において、フレームレートをさらに低下させてもよい。たとえば、動きなし判定が所定時間継続された場合のＣＰＵ２０は、縮小スルー画像３１Ｂの撮像および表示を１／８秒の間に１回行い（8fps）、縮小スルー画像３１ＢをＬＣＤモニタ１７の第１サブ表示領域１７ｂに表示させたまま、高精細スルー画像１３１Ｂの撮像および表示を次の１／８秒の間に３回行う（24fps）。
【００５７】
（変形例３）
変形例２とは反対に、動きありを判定した場合の拡大表示において、フレームレートをさらに上昇させてもよい。たとえば、動きあり判定が所定時間継続された場合のＣＰＵ２０は、縮小スルー画像３１Ｂの撮像および表示を１／２０秒の間に１回行い（20fps）、縮小スルー画像３１ＢをＬＣＤモニタ１７の第１サブ表示領域１７ｂに表示させたまま、高精細スルー画像１３１Ｂの撮像および表示を次の１／２０秒の間に３回行う（60fps）。
【００５８】
（変形例４）
また、上述した説明では、動きなしを判定した場合の拡大表示において、縮小スルー画像３１Ｂの撮像および表示を行うフレームレートと、高精細スルー画像１３１Ｂの撮像および表示を行うフレームレートとの比を１：３にする例を説明した。例示した比に限らず、１：２〜１：１０の間で適宜変更して構わない。
【００５９】
（変形例５）
さらにまた、上述した説明では、動きありを判定した場合の拡大表示において、縮小スルー画像３１Ｂの撮像および表示を行うフレームレートと、高精細スルー画像１３１Ｂの撮像および表示を行うフレームレートとの比を３：１にする例を説明した。例示した比に限らず、２：１〜１０：１の間で適宜変更して構わない。
【００６０】
（変形例６）
被写体の動きのあり／なし判定結果に応じて縮小スルー画像３１Ｂの撮像および表示を行うフレームレートと、高精細スルー画像１３１Ｂの撮像および表示を行うフレームレートとを変化させる代わりに、電子カメラ１に設定された撮影モードに応じてフレームレートを変化させる構成にしてもよい。ＣＰＵ２０は、操作部材２２を構成する撮影モードダイヤルからの操作信号が、「スポーツモード」および「キッズモード」への設定を指示する場合、上記「被写体の動きあり」を判定した場合と同様のフレームレートを設定する。一方、ＣＰＵ２０は、操作部材２２を構成する撮影モードダイヤルからの操作信号が、「風景モード」、「ポートレートモード」および「マクロモード」への設定を指示する場合、上記「被写体の動きなし」を判定した場合と同様のフレームレートを設定する。
【００６１】
変形例６によれば、被写体が動く可能性が高い場合に、動きがある被写体の撮影に適した設定（縮小スルー画像３１Ｂの撮像および表示のフレームレートを、高精細スルー画像１３１Ｂの撮像および表示のフレームレートより高くする）へ自動的に変更することができる。反対に、被写体が動く可能性が低い場合に、動きがない被写体の撮影に適した設定（高精細スルー画像１３１Ｂの撮像および表示のフレームレートを、縮小スルー画像３１Ｂの撮像および表示のフレームレートより高くする）へ自動的に変更することができる。
【００６２】
（変形例７）
上述の実施形態に加えて更に、ＣＰＵ２０が次の述べる処理を行うようにしても良い、図５にて既述した如く、メイン表示領域１７ａに高精細スルー画像１３１Ｂ（拡大スルー画像）を表示し、サブ表示領域１７ｂに縮小スルー画像３１Ｂ（縮小された全体スルー画像）が表示されているときに、主要被写体（エリア３２Ｂの鳥）に動きが検出されると、縮小された全体スルー画像３１Ｂを縮小処理前の全体スルー画像３１にすると共にそのスルー画像３１をメイン表示領域１７ａへ表示するよう表示エリアを切り替える（この場合、拡大スルー画像１３１Ｂは縮小処理されてサブ表示領域１７ｂに表示されることになる）。そして既述したように、全体スルー画像３１のフレームレートの方を拡大スルー画像１３１Ｂのフレームレートよりも相対的に上げるように撮像フレームレートを制御する（図９に示した撮像方法で撮像した画像を表示する）。このように、被写体に動きがあったときには、なるべく大きな表示画面で観察した方が、ユーザーにとって被写体の動きを視認し易く且つ被写体の動きをフレーム内に捉え続けやすくなり、シャッターチャンスを逃す虞が少なくなるという利点がある。
なお、主要被写体が静止している（あるいは動きが小さい）と判断した場合には、図４にて既述したように、拡大スルー画像をメイン表示領域１７ａに（全体スルー画像をサブ表示領域１７ｂに）表示しつつ、図８に示した撮像方法で撮像した画像を表示するようにすれば良い。
更に、上記変形例６においても本変形例と同様の考えを適用し、撮影モードが「スポーツモード」および「キッズモード」に設定されたときには、上記「被写体の動きあり」を判定した場合と同様に、メイン表示領域１７ａに全体スルー画像３１を（サブ表示領域１７ｂに縮小処理された拡大スルー画像を）表示させるようにしても良い。一方、撮影モードが「風景モード」、「ポートレートモード」および「マクロモード」に設定されたときには、上記「被写体の動きなし」を判定した場合と同様に、メイン表示領域１７ａに拡大スルー画像を（サブ表示領域１７ｂに縮小処理された全体スルー画像を）表示させるようにしてもよい。
（変形例８）
上記の説明では、３つのサブ表示領域１７ｂ〜１７ｄのうちサブ表示領域１７ｂを用いる例を説明したが、サブ表示領域１７ｃを用いてもサブ表示領域１７ｄを用いてもよい。
【００６３】
以上の説明はあくまで一例であり、上記の実施形態の構成に何ら限定されるものではない。
【図面の簡単な説明】
【００６４】
【図１】本発明の一実施の形態による電子カメラ１の構成例を説明するブロック図である。
【図２】電子カメラの背面図である。
【図３】ＬＣＤモニタの表示画面を例示する図である。
【図４】ＬＣＤモニタの表示画面を例示する図である。
【図５】ＬＣＤモニタの表示画面を例示する図である。
【図６】メイン処理の流れを説明するフローチャートである。
【図７】(a)はスルー画像を読み出す際の説明図である。(b)は高精細スルー画像を読み出す際の説明図である。
【図８】縮小スルー画像および高精細スルー画像の撮像タイミングを説明するタイムチャートである。
【図９】縮小スルー画像および高精細スルー画像の撮像タイミングを説明するタイムチャートである。
【符号の説明】
【００６５】
１…電子カメラ
１２…撮像素子
１３…ＡＦＥ回路
１４…画像処理回路
１７…ＬＣＤモニタ
１８…ＲＡＭ
１９…フラッシュメモリ
２０…ＣＰＵ
２２…操作部材
２３…ＴＧ
【図１】
2010136190.tif 000003
【図２】
2010136190.tif 000004
【図３】
2010136190.tif 000005
【図４】
2010136190.tif 000006
【図５】
2010136190.tif 000007
【図６】
2010136190.tif 000008
【図７】
2010136190.tif 000009
【図８】
2010136190.tif 000010
【図９】
2010136190.tif 000011